(57)【要約】【課題】  押し出された練り歯磨きの直接歯ブラシに付着する接触面積を増して脱落しにくくし、また練り歯磨きの用量を減少することができる練り歯磨き容器の提供。【解決手段】  ソフトチューブと前端のキャップで組成され、ソフトチューブの後方開口より練り歯磨きが充満されてシールされ、ソフトチューブが押圧されて練り歯磨きが前方の管口より押し出される練り歯磨き容器において、ソフトチューブの管口が矩形に形成され、且つ側面視によると管口が水平面と２０〜７０度の傾斜を呈するよう形成されたことを特徴とする。【選択図】        図３
0003105419.tif 000002
【実用新案登録請求の範囲】
【請求項１】
ソフトチューブと前端のキャップで組成され、ソフトチューブの後方開口より練り歯磨きが充満されてシールされ、ソフトチューブが押圧されて練り歯磨きが前方の管口より押し出される練り歯磨き容器において、ソフトチューブの管口が矩形に形成され、且つ側面視によると管口が水平面に対して２０〜７０度の傾斜を呈するよう形成され、並びに管口外側壁にキャップとの螺合用のネジ山が設けられたことを特徴とする、練り歯磨き容器。
【考案の詳細な説明】
【技術分野】
【０００１】
本考案は練り歯磨き容器に係り、特に、押し出された練り歯磨きの直接歯ブラシに付着する接触面積を増して脱落しにくくし、また練り歯磨きの用量を減少することができる練り歯磨き容器に関する。
【背景技術】
【０００２】
一般家庭で使用される練り歯磨き容器は、金属と樹脂製のソフトチューブの二種類があるがその形状とサイズはほぼ同じである。近年では、低コストで軽量で便利なことから、ソフトチューブが容器の主流となっている。図１は周知の練り歯磨き容器を示し、それは円形の管口ａ１を具えた扁平状管体ａを具え、管口ａ１の外側壁にネジ山ａ２が設けられ、練り歯磨きｂが管体ａの後方の開口ａ３より充填された後、ホットメルト接合或いは高周波接合の方式で閉じられ、更に前端のキャップｃが締めつけられる。使用時には、管体ａを押圧して内部容積を縮小し、練り歯磨きｂを円形の管口ａ１より歯ブラシｄに押し出す。押し出された練り歯磨きｂの形状は円棒状とされるため、歯ブラシｄとの接触面積が小さく、脱落しやすい。且つ実際に必要な量に較べて多くの浪費を形成する。
【考案の開示】
【考案が解決しようとする課題】
【０００３】
ゆえに、本考案は従来の練り歯磨き容器の欠点に対して、容器の管口に対して改良を行ない、管口形状を矩形に形成し、且つ側面視によると管口が水平面と２０〜７０度の傾斜を呈するようにし、一方で押し出される練り歯磨きの歯ブラシとの接触面積を増加して脱落しにくくし、また一方で練り歯磨きの使用量を効果的に減らせるようにする。
【０００４】
即ち、本考案の目的は、押し出される練り歯磨きの歯ブラシとの接触面積を増加して脱落しにくくし、また一方で練り歯磨きの使用量を効果的に減らせる練り歯磨き容器を提供することにある。
【０００５】
上述の目的を達成するため、本考案は、ソフトチューブと前端のキャップからなる練り歯磨き容器において、ソフトチューブの管口を矩形に形成すると共に、側面視によると管口が水平面と２０〜７０度の傾斜を呈するようにし、並びに管口外側壁にキャップとの螺合用のネジ山を設けている。
【課題を解決するための手段】
【０００６】
請求項１の考案は、ソフトチューブと前端のキャップで組成され、ソフトチューブの後方開口より練り歯磨きが充満されてシールされ、ソフトチューブが押圧されて練り歯磨きが前方の管口より押し出される練り歯磨き容器において、ソフトチューブの管口が矩形に形成され、且つ側面視によると管口が水平面に対して２０〜７０度の傾斜を呈するよう形成され、並びに管口外側壁にキャップとの螺合用のネジ山が設けられたことを特徴とする、練り歯磨き容器としている。
【考案の効果】
【０００７】
本考案は管口の形状が矩形とされたことにより、その押し出す練り歯磨きが断面が矩形の長條状を呈し、これにより、歯ブラシと押し出された練り歯磨きの接触面積が周知の線状から面状となり、接触面積が増す。またその管口は側面視によると水平面と２０〜７０度を呈し、練り歯磨きを押し出す時、練り歯磨きが直接歯ブラシの毛の表面と緊密に接触し、付着力が高められて脱落しにくく、且つ押し出された練り歯磨きの断面積は円形管口容器より押し出される練り歯磨きの断面積より小さいため、同じ長さの練り歯磨きを押し出しても、本考案の使用量は少なく、有効に使用量を減らす目的を達成できる。
【考案を実施するための最良の形態】
【０００８】
図２、３に示されるように、本考案の練り歯磨き容器１は、ソフトチューブ１０とキャップ２０で構成されている。該ソフトチューブ１０の管口１１形状は矩形とされ、且つ側面視によると、管口１１は水平面と２０〜７０度の傾斜を呈し、並びにその管口１１外側壁にキャップ２０との螺合用のネジ山１２が設けられている。
【０００９】
図４から図７を参照されたい。周知の練り歯磨き容器１が円形の管口３より押し出す練り歯磨き２と本考案の矩形の管口１１が押し出す練り歯磨きを比較すると、本考案のものは扁平長條状を呈し、円形管口３より押し出される練り歯磨き２の断面は円形である。本考案の押し出す練り歯磨き２の断面は矩形であり、それが歯ブラシ４の毛４ａの上に置かれる時、円形の練り歯磨き２の底面と毛４ａとの接触面は小さい長條面とされ、矩形の練り歯磨き２と毛４ａとの接触面は矩形面とされ、これにより本考案の練り歯磨きは歯ブラシとの接触面積が増され、付着力が高められて脱落しにくい。且つ矩形の練り歯磨き２の断面積は円形の練り歯磨き２の断面積より小さくなるよう設けられ、同じ長さの練り歯磨きを押し出す時、矩形の練り歯磨き２の体積のほうが小さくなり、使用回数が増すにつれ、使用量を有効に減少できる。
【００１０】
図８に示されるように、一般に人が歯ブラシ４に練り歯磨き２を押し出す時、練り歯磨き容器１と歯ブラシ４の毛４ａが２０〜７０度の角度を成すようにする。本考案の管口１１は側面視によると自身が水平面に対して２０〜７０度の傾斜を呈するため、練り歯磨き２を押し出す時、直接練り歯磨き２と歯ブラシ４の毛４ａを緊密に結合させることができ、練り歯磨きの脱落を防止できる。
【００１１】
総合すると、本考案の練り歯磨き容器は矩形の管口を利用し、押し出す練り歯磨きの歯ブラシとの接触面を増加して脱落しにくくし、且つ効果的に練り歯磨き使用量を減らすことができる。ゆえに本考案は実用性、進歩性を有する考案である。
【図面の簡単な説明】
【００１２】
【図１】周知の技術の使用表示図である。
【図２】本考案の立体図である。
【図３】本考案の側面図である。
【図４】周知の技術の使用状態表示図である。
【図５】周知の技術の使用状態表示図である。
【図６】本考案の使用状態表示図である。
【図７】本考案の使用状態表示図である。
【図８】本考案の使用状態の側面断面図である。
【符号の説明】
【００１３】
１  練り歯磨き容器              ２  練り歯磨き
３  管口                        ４  歯ブラシ
４ａ  毛                        １０  ソフトチューブ
２０  キャップ                  １１  管口
１２  ネジ山
【図１】
0003105419.tif 000003
【図２】
0003105419.tif 000004
【図３】
0003105419.tif 000005
【図４】
0003105419.tif 000006
【図５】
0003105419.tif 000007
【図６】
0003105419.tif 000008
【図７】
0003105419.tif 000009
【図８】
0003105419.tif 000010